(57)【要約】【課題】軽量で簡単に設置することができるとともに収納が容易である止水装置を提供する。【解決手段】載置面に立設された壁面の開口部の前の載置面に置かれることで前記開口部を止水するＬ型止水装置であって、前記載置面に接するように構成される底面枠と該底面枠に接続されて前記壁面に接するように構成される背面枠とを備え、前記背面枠に端部を固定された背面部材と該背面部材と水密に接続され前記底面枠に端部を固定された底面部材とを有し、前記底面枠の前記載置面に接する部分及び前記背面枠の前記壁面に接する部分へ止水部材が固定される。【選択図】図１
2020060011.tif 000002
【特許請求の範囲】
【請求項１】
載置面の上に立設された壁面の開口部の前の載置面に置かれることで前記開口部を止水するＬ型止水装置であって、
前記載置面に接するように構成される底面枠と該底面枠に接続されて前記壁面に接するように構成される背面枠とを備え、
前記背面枠に端部を固定された背面部材と該背面部材と水密に接続され前記底面枠に端部を固定された底面部材とを有し、
前記底面枠の前記載置面に接する部分及び前記背面枠の前記壁面に接する部分へ止水部材が固定されることを特徴とするＬ型止水装置。
【請求項２】
前記止水部材が止水性を有するとともに柔軟性を有する部材であることを特徴とする請求項１に記載のＬ型止水装置。
【請求項３】
前記底面枠に固定される前記止水部材が、前記底面枠の前部及び左右部で連続し後部で不連続に構成されることを特徴とする請求項１又は２に記載のＬ型止水装置。
【請求項４】
前記止水部材が前記底面枠又は前記背面枠に固定される第1止水部材とこれに重なる第２止水部材からなり、前記第２止水部材の剛性が前記第１止水部材の剛性よりも小さいことを特徴とする請求項１乃至３何れか1項に記載のＬ型止水装置。
【請求項５】
前記底面枠および前記背面枠が金属の中空角材であり、前記底面部材および前記背面部材が金属板であることを特徴とする請求項1乃至４何れか1項に記載のＬ型止水装置。
【請求項６】
載置面の上に立設された壁面の開口部の前の載置面に置かれる請求項1乃至5何れか1項に記載のＬ型止水装置を用いて前記開口部を止水する止水方法であって、
前記底面部材の上に錘を載せることを特徴とする止水方法。
【請求項７】
前記錘が水を容れた容器であり、該錘の上を覆う比重が1よりも大きな抑え板が前記底面部材の前部に係止されて前記背面部材に立てかけられることを特徴とする請求項６に記載の止水方法。
【発明の詳細な説明】
【技術分野】
【０００１】
本発明は、建物の外から流れ込む水を止水するＬ型止水装置に関する。
【背景技術】
【０００２】
従来、載置面へアンカーボルトなどで直立固定された止水枠板と、この止水枠板を被覆する防水布と、を備えた洪水防止用止水装置が提案されている（例えば、特許文献１参照）。特許文献１に記載された従来の止水装置は、洪水時に土嚢の代わりに用いられ土嚢よりも設置が容易にされる。このような止水装置では、防水布のうち床に沿った部分（底面止水部）の上側を水が流れ、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の止水装置では、構成部材が多く、設置に手間がかかるうえに、非使用時に部材をしまっておくために大きな貯蔵施設が必要になる。
【０００５】
また多くの枠材を用いる従来の止水装置は重量が大きくなり設置も難しいという問題点がある。したがって、本発明の目的は、軽量で簡単に設置することができるとともに収納が容易である止水装置を提供することにある。
【課題を解決するための手段】
【０００６】
請求項１に記載されたＬ型止水装置は、載置面に立設された壁面の開口部の前の載置面に置かれることで前記開口部を止水するＬ型止水装置であって、前記載置面に接するように構成される底面枠と該底面枠に接続されて前記壁面に接するように構成される背面枠とを備え、前記背面枠に端部を固定された背面部材と該背面部材と水密に接続され前記底面枠に端部を固定された底面部材とを有し、前記底面枠の前記載置面に接する部分及び前記背面枠の前記壁面に接する部分へ止水部材が固定されることを特徴とする。
【０００７】
載置面に接するように構成される底面枠と該底面枠に接続されて壁面に接するように構成される背面枠とを備え、前記背面枠に端部を固定された背面部材と該背面部材と水密に接続され前記底面枠に端部を固定された底面部材とを有し、前記底面枠の前記載置面に接する部分及び前記背面枠の前記壁面に接する部分へ止水部材が固定されるので簡便な構造で止水効果が高まる。また、重ねての収納が可能なので収納スペースが少なくて済む。
【０００８】
請求項２に記載されたＬ型止水装置は、止水部材が止水性を有するとともに柔軟性を有する部材であることを特徴とする。
【０００９】
止水部材が止水性を有するとともに柔軟性を有する部材であるので凹凸のある床や壁に押し付けて凹凸を埋めて効果的に止水することができる。
【００１０】
請求項３に記載されたＬ型止水装置は、底面枠に固定される止水部材が、前記底面枠の前部及び左右部で連続し後部で不連続に構成されることを特徴とする。
【００１１】
底面枠に固定される止水部材が、前記底面枠の前部及び左右部で連続し後部で不連続に構成されるので底面部材の下へしみ込んだ水を外部へ排出することができる。
【００１２】
請求項４に記載されたＬ型止水装置は、止水部材が前記底面枠又は前記背面枠に固定される第1止水部材とこれに重なる第２止水部材からなり、前記第２止水部材の剛性が前記第１止水部材の剛性よりも小さいことを特徴とする。
【００１３】
止水部材が前記底面枠又は前記背面枠に固定される第1止水部材とこれに重なる第２止水部材からなり、前記第２止水部材の剛性が前記第１止水部材の剛性よりも小さいので、剛性の小さい柔軟性の高い第２止水部材で壁面や床面の凹凸になじませて止水効果を高めることができる。
【００１４】
請求項５に記載されたＬ型止水装置は、底面枠および前記背面枠が金属の中空角材であり、底面部材および背面部材が金属板であることを特徴とする。
【００１５】
底面枠および前記背面枠が金属の中空角材であり底面部材および背面部材が金属板であるので製造が容易で軽量である。
【００１６】
請求項６に記載された止水方法は、請求項1乃至5何れか1項に記載のＬ型止水装置を用いて前記開口部を止水する止水方法であって、前記底面部材の上に錘を載せることを特徴とする。
【００１７】
請求項1乃至5何れか1項に記載のＬ型止水装置を用いて前記開口部を止水する止水方法であって、前記底面部材の上に錘を載せるので、水位が低い状態でも大きな圧力を止水部材へ加えて高い止水効果を得ることができる。
【００１８】
請求項７に記載された止水方法は、請求項６に記載の止水方法において前記錘が水を容れた容器であり、該錘の上を覆う比重が1よりも大きな抑え板の下部が前記底面部材の前部に係止されてその上部が前記背面部材に立てかけられることを特徴とする。
【００１９】
錘が水を容れた容器であり、該錘の上を覆う比重が1よりも大きな抑え板が前記底面部材の前部に係止されて前記背面部材に立てかけられるので、水を用いて錘の用意が簡便にでき、水位が高くなってきて錘が浮遊することを抑え板で防ぐことができる。
【図面の簡単な説明】
【００２０】
【図１】本発明に係るＬ型止水装置を扉の前に置いた説明図である。
【図２】Ｌ型止水装置の側面図である。
【図３】Ｌ型止水装置の背面から見た斜視図である。
【図４】Ｌ型止水装置の底面から見た斜視図である
【図５】底面の止水部材の様子を示す説明図である。
【発明を実施するための形態】
【００２１】
以下、本発明の実施形態を図面に基づいて説明する。止水装置は床などの載置面に立設された壁面の開口部を止水するように開口部の前の載置面へ壁に密着するように置かれる。図１に示す本実施形態のＬ型止水装置１０は、側方から見てＬ型になっており背面部は底面部に対して略直角になる。設置の際は、背面部を壁へ押し付けて水密状態を作り壁面からの漏水を抑え、底面部を床に密着させて水密状態を作り床面からの漏水を抑えて、壁の開口部を止水する。必要に応じてＬ型止水装置１０の底面が床面に密着するように錘を載せる。底面部の奥行きＤは背面部の高さＬよりも小さく取られる。奥行きＤを大きくすることで底面部の面積が増えて止水部材への圧力が大きくなる。奥行きＤの大きさは底面枠に固定される止水部材の止水性能を確保するために必要な圧縮率を実現する圧力から決められる。
【００２２】
図２を用いてＬ型止水装置の構造を説明する。載置面となる床に置かれる底面枠４と壁に接するように置かれる背面枠１をアルミなどの金属の中空角材で構成する。角材の接合は溶接やボルト締め又は接着剤で行う。
【００２３】
底面枠及び背面枠へ止水部材５を接着材などで固定する。底面は水圧が一番大きくなるので第1止水部材として固めの止水部材（Ａ材）５を用いる。背面は壁の装飾などの凹凸を吸収できる柔らかな止水部材が好適である。ただし背面の下部は水圧が大きいので固めの止水部材（Ａ材）５の上にこれよりも剛性の小さい止水部材（Ｂ材）３を第２止水部材として重ねることが好適である。止水部材は床面及び壁面の凹凸の大きさに合わせて剛性の大きさを選び必要に応じて重ねて使用すればよい。
【００２４】
ここで、止水部材について説明をする。今回用いた止水部材はEPDM（エチレンとプロピレンの共重合体であるEPM(=EPR)にさらに少量の第3成分を含む三元重合体）を独立発泡又は半独立半連続状態で発砲させたものである。市販品はEPDMにアクリル系又はブチルゴム系の粘着剤を塗布してあるので枠材への固定が容易にできる。今回止水部材の厚みは１１ｍｍのものを用いたが床面や壁面の状態で適宜な厚さを決めてよい。
【００２５】
底面枠に固定されるのは独立発泡させた止水部材のＡ材である。独立発泡した止水部材は圧縮されても部材中の気泡の空気が逃げないので半独立半連続状態で発砲させたものに比べて剛性が高くなる。
【００２６】
止水部材は独立発泡であっても内部で連結して外部へつながる通路が存在するので止水性能を得るには適度に圧力を加えて圧縮して外部へつながる通路を塞ぐ必要がある。今回使用した固めのＡ材は、圧縮率２５％以上で十分な止水性能を示す。また、柔らかなＢ材は圧縮率７０％以上で十分な止水性能を示す。ここで圧縮率とは圧力による厚みの減少寸法を圧縮前の厚み寸法で除したものである。圧縮率５０％で厚みが元の厚みの半分になる。
【００２７】
幅３０ｍｍの止水部材を用い、底面枠の奥行きＤ＝３０ｃｍのＬ型止水装置で止水実験を行った。止水部材は適度な圧縮が必要であるのでその圧縮率を得る水深を調べた結果を表１に示す。
【００２８】
【表１】
2020060011.tif 000003
【００２９】
この表から、止水部材が止水性能を発揮するために必要な圧縮率２５％以上を得るには水深がおよそ３０ｃｍ必要なことが分かる。水深３０ｃｍ以下で十分な止水性能を得るために錘を底面部材の上に載せて水深が少ない状態でも所定の圧縮率を得られるようにする。ただし、止水部材Ａは圧縮率１０％でも１０分以上３０分以内にようやく水漏れが見られるレベルの止水性能を有するので水漏れの許容量で錘の有無や重さを決めてよい。
【００３０】
図２において底面枠4の上に底面部材及び背面枠１の上に背面部材２を接着して固定する。その際、底面部材の前側の端部を上に折り曲げておきここで抑え部材６を受けとめる。底面部材と背面部材は連続した金属板を用いることが好ましい。底面部材の上には錘として水を満たした容器７が載せられる。今回は、幅９０ｃｍのＬ型止水装置に３リットル入りの容器を３個載せて止水性能の確認実験を行った。
【００３１】
図３を用いてＬ型止水装置の背面から見た斜視図の説明をする。背面枠の壁に接する部分に止水部材３が貼られている。背面枠の下部は水圧で壁方向へ強く押されること、また水圧が大きいことから固めのＡ材の上にＡ材に比べて剛性の小さいＢ材３を重ねて接着している。壁面が平坦であればＢ材のみで背面枠の止水部材を構成してもよい。
【００３２】
図４はＬ型止水装置を背面から見た斜視図で図４の右部分に底面の様子が示されている。底面枠には止水部材５が貼り付けられている。背面の底面枠に固定された止水部材５は隙間を開けて配列される。これは、底面枠の前部と左右の横部からの水漏れによる底面部と床面との間に溜まる水を排出するためである。
【００３３】
図５は底面枠に固定された止水部材５の配置を示す。幅３０ｍｍの止水部材を背面から枠材の横部を通って前面まで連続して貼り付ける。後部となる背面では隙間を開けて止水部材５を接着する。この隙間により前部及び横部からの水漏れによる水を背面から排出する。
【００３４】
止水装置を長期間設置する場合は、止水シーラなどを床面と底面部、壁面と背面部の間へ塗布することも効果的である。
【００３５】
上記のＬ型止水装置１０を壁面の開口部の前に設置して必要な水容器の錘を底面部に載せ、抑え部材６で水容器を覆っておくことで容易に開口部への止水をする止水方法を実現することができる。
【００３６】
上記に説明した発明に類する発明はその構成が本発明と異なっても技術思想が同一であれば本発明の範囲に含まれる。
【符号の説明】
【００３７】
１  背面枠
２  背面部材
３  止水部材Ｂ
４  底面枠
５  止水部材Ａ
６  抑え部材
７  錘
１０  Ｌ型止水装置
【図１】
2020060011.tif 000004
【図２】
2020060011.tif 000005
【図３】
2020060011.tif 000006
【図４】
2020060011.tif 000007
【図５】
2020060011.tif 000008